(57)【特許請求の範囲】
【請求項１】
光学像を走査し前記光学像を表す画像データを出力する走査部と、被写体が載置される透明な原稿台を有する本体と、前記被写体の光学像を前記走査部に入力する光学系と、全閉姿勢で前記原稿台を被覆する原稿カバーと、前記原稿カバーを前記本体に揺動自在に連結し全開姿勢で定位させるヒンジとを備える画像読み取り装置であって、
前記ヒンジは、前記原稿カバーに係止される基部と、前記基部に揺動自在に軸支される棒状部材であって揺動軸から遠方の端部が前記本体に係止される棒状部材と、前記基部に基端が接続され前記原稿カバーが全開姿勢から全閉姿勢まで揺動するとき前記揺動軸から近方の前記棒状部材の端部に先端部が押されて前記揺動軸から離間する方向に弾性変形する弾性部とを備え、
前記弾性部の弾力によって前記原稿カバーを全開姿勢で定位させ、前記揺動軸は前記原稿カバーが揺動しても前記揺動軸の半径方向に変動しないことを特徴とする画像読み取り装置。
【請求項２】
前記弾性部は前記基部に基端が接続された片持ち梁状に形成されていることを特徴とする請求項１記載の画像読み取り装置。
【請求項３】
前記弾性部の基端は前記揺動軸から近方の前記棒状部材の先端より前記揺動軸から遠方に位置し、
前記弾性部の先端は前記原稿カバーが全開姿勢及び全閉姿勢のとき前記揺動軸から近方の前記棒状部材の先端より前記揺動軸から近方に位置することを特徴とする請求項２記載の画像読み取り装置。
【請求項４】
前記基部と前記弾性部とは樹脂材で一体に形成されていることを特徴とする請求項１、２又は３記載の画像読み取り装置。
【請求項５】
可動部を本体に揺動自在に連結し前記可動部を前記本体に対して全開姿勢で定位させるヒンジであって、
前記可動部又は前記本体のいずれか一方に係止される基部と、
前記可動部又は前記本体のいずれか他方に係止され前記基部に揺動自在に軸支される棒状部材と、
前記基部に基端が接続され前記可動部が全開姿勢から全閉姿勢まで揺動するとき前記棒状部材の先端に先端部が押されて前記揺動軸から離間する方向に弾性変形する弾性部とを備え、
前記弾性部の弾力によって前記可動部を全開姿勢で定位させ、前記揺動軸は前記可動部が揺動しても前記揺動軸の半径方向に変動しないことを特徴とするヒンジ。
【請求項６】
前記弾性部は前記基部に基端が接続された片持ち梁状に形成されていることを特徴とする請求項５記載のヒンジ。
【請求項７】
前記弾性部の基端は前記棒状部材の先端より前記揺動軸から遠方に位置し、
前記弾性部の先端は前記可動部が全開姿勢及び全閉姿勢のとき前記棒状部材の先端より前記揺動軸から近方に位置することを特徴とする請求項６記載のヒンジ。
【請求項８】
前記基部と前記弾性部とは樹脂材で一体に形成されていることを特徴とする請求項５、６又は７記載のヒンジ。
【発明の詳細な説明】
【０００１】
【発明の属する技術分野】
本発明は画像読み取り装置及びヒンジに関する。
【０００２】
【従来の技術】
フラットベッド型といわれる画像読み取り装置が公知である。フラットベッド型の画像読み取り装置には原稿台に載置された被写体を押さえる原稿カバーが設けられている。この原稿カバーは本体にヒンジで揺動自在に連結されている。このヒンジには、使用者が原稿台に被写体を載置する間、原稿カバーを全開姿勢で定位させる保持力が必要である。
【０００３】
フラットベッド型画像読み取り装置のヒンジの従来例を図７に示す。原稿カバー２０４は全閉姿勢で原稿台２０１を被覆し全開姿勢で原稿台２０１とほぼ直角をなす。原稿カバー２０４を本体２１１に揺動自在に連結し全開姿勢で定位させるヒンジは、ともに樹脂材からなる基部２０３と棒状部材２１０とからなる。棒状部材２１０は本体ハウジング２１２に挿入される。棒状部材２１０には基部２０３に回動自在に支持された軸棒２０９が設けられている。基部２０３はカバーハウジング２０５のボス２０６、２０７にねじで締結されている。基部２０３には円弧状に湾曲した片持ち梁状の弾性部２０８が設けられている。弾性部２０８は棒状部材２１０に設けられたピン２０２に比べて軸棒２０９により近い位置に設けられている。軸棒２０９より遠方側の弾性部２０８の外壁は、基部２０３に対して棒状部材２１０が揺動するときピン２０２が描く円弧状軌跡内に一部張り出すようにその形状が設定されている。したがって、原稿カバー２０４が全開姿勢から全閉姿勢まで揺動するとき、ピン２０２と弾性部２０８が互いに力を及ぼしあい、軸棒２０９に接近する方向にピン２０２が弾性部２０８を弾性変形させ、ピン２０２が描く円弧状軌跡外に弾性部２０８を押し出す。原稿カバー２０４が全開姿勢から閉じるとき弾性部２０８がピン２０２に及ぼす弾力が原稿カバー２０４の揺動抵抗となるため、外力が閉方向に作用しない限り原稿カバー２０４は全開状態で定位する。
【０００４】
【発明が解決しようとする課題】
フラットベッド型の画像読み取り装置では筐体の薄形化が進んでおり、また、ヒンジが小さければ小さいほどデザインの自由度が高くなるため、ヒンジの小型化が望まれている。
【０００５】
しかし、図７に示したヒンジでは、軸棒２０９に接近する方向に弾性変形できるように弾性部２０８と軸棒２０９との距離をある程度確保する必要がある。さらに、弾性部２０８の軸棒より遠方側の外壁とピン２０２が摺接する構成であるため、棒状部材２１０の回動中心からピン２０２までの距離をあまり小さくすることはできない。これらの事情からこの種のヒンジの小型化は従来困難であった。
【０００６】
本発明は、かかる問題を解決するために創作されたものであって、その目的はヒンジの体格が小さい画像読み取り装置を提供することにある。
本発明の別の目的は、体格が小さいヒンジを提供することにある。
【０００７】
【課題を解決するための手段】
本発明の画像読み取り装置によると、ヒンジは、原稿カバーに係止される基部と、基部に揺動自在に軸支される棒状部材であって揺動軸から遠方の端部が本体に係止される棒状部材と、基部に基端が接続され原稿カバーが全開姿勢から全閉姿勢まで揺動するとき揺動軸から近方の棒状部材の端部に先端部が押されて揺動軸から離間する方向に弾性変形する弾性部とを備え、弾性部の弾力によって原稿カバーを全開姿勢で定位させ、前記揺動軸は前記原稿カバーが揺動しても当該揺動軸の半径方向に変動しないことを特徴とする。本発明の画像読み取り装置によると、弾性部が棒状部材に押されて棒状部材の揺動軸から離間する方向に弾性変形する構成であるため、ヒンジの体格を小さくすることができる。
【０００８】
本発明のヒンジによると、可動部又は本体のいずれか一方に係止される基部と、可動部又は本体のいずれか他方に係止され基部に揺動自在に軸支される棒状部材と、基部に基端が接続され可動部が全開姿勢から全閉姿勢まで揺動するとき棒状部材の先端に先端部が押されて揺動軸から離間する方向に弾性変形する弾性部とを備え、弾性部の弾力によって可動部を全開姿勢で定位させ、前記揺動軸は前記可動部が揺動しても当該揺動軸の半径方向に変動しないことを特徴とする。本発明のヒンジによると、弾性部が棒状部材に押されて棒状部材の揺動軸から離間する方向に弾性変形する構成であるため、ヒンジの体格を小さくすることができる。
【０００９】
本発明の画像読み取り装置及びヒンジによると、弾性部は基部に基端が接続された片持ち梁状に形成されていることを特徴とする。弾性部の撓みによって生ずる弾力で原稿カバーを全開姿勢に保持することで、ヒンジの構成を簡素にすることができる。
【００１０】
本発明の画像読み取り装置及びヒンジによると、弾性部の基端は棒状部材の先端より揺動軸から遠方に位置し、弾性部の先端は原稿カバーが全開姿勢及び全閉姿勢のとき棒状部材の先端より揺動軸から近方に位置することを特徴とする。このため、ヒンジの体格を小さくすることができる。
【００１１】
本発明の画像読み取り装置及びヒンジによると、基部と弾性部とは樹脂材で一体に形成されていることを特徴とする。このため、ヒンジの構成を簡素にすることができる。
【００１２】
【発明の実施の形態】
以下、本発明の実施の形態を示す一実施例を図面に基づいて説明する。
図２は、本発明による画像読み取り装置の一実施例としてのイメージスキャナ１０を示す模式図である。イメージスキャナ１０は、直方体の本体１２の上面に原稿台１４を備えた所謂フラットベッド型である。
【００１３】
原稿台１４は概ね矩形のガラス板等の透明板で形成され、その盤面１５上に印刷文書、写真、書籍等の被写体Ｍが載置される。原稿台１４の周縁部には、概ね矩形枠状の原稿ガイド１６が接合されている。原稿ガイド１６は、被写体Ｍに当接し原稿台１４の盤面１５上に被写体Ｍを位置決めする。原稿ガイド１６には、主走査方向に延びる白基準板２８が接合されている。白基準板２８は高反射率均一反射面を有する。
【００１４】
原稿カバー６０は本体１２に揺動自在に連結されている。原稿カバー６０は原稿台１４に載置される原稿Ｍを押さえるとともに、光源２２の放射光以外の光が被写体を照らすことがないように原稿台１４を被覆するものである。原稿カバー６０には原稿Ｍに当接する白色の原稿マット６１が固定されている。尚、原稿マット６１を脱着自在なものとし、原稿カバー６０内部に原稿マット６１で覆い隠される光源を設けてもよい。原稿カバー６０に設ける光源で写真フィルム等の透過原稿を照射することで透過原稿を走査可能となる。
【００１５】
キャリッジ２４は原稿台１４の盤面１５と平行に往復移動自在に本体１２に収容されている。キャリッジ２４は光学系３０とイメージセンサ２０を搭載している。キャリッジ２４は原稿台１４の盤面１５に対し平行なガイド用のシャフト等にスライド自在に係止されている。ガイド用のシャフトの長手方向軸は図２のＢ方向に延伸している。キャリッジ２４は例えばベルトにより牽引されてイメージセンサ２０及び光学系３０を図２のＢ方向に運搬する。
【００１６】
光学系３０は、光源２２、ミラー３４、集光レンズ３６等で構成されている。光源２２は蛍光管ランプ等の管照明装置から構成されている。光源２２は、その長手方向軸がイメージセンサ２０の長手方向軸と平行に延びる姿勢でキャリッジ２４に搭載されている。図２に破線で示すように、光源２２により照射された主走査線上の反射光像はミラー３４及び集光レンズ３６によりイメージセンサ２０に結像される。
【００１７】
図３は、イメージスキャナ１０を示すブロック図である。
特許請求の範囲に記載の走査部はイメージセンサ２０、主走査駆動部１０２、副走査駆動部２６及び信号処理部１００から構成される。
【００１８】
イメージセンサ２０は、リニアイメージセンサであって、フォトダイオード等の複数の光電変換素子が図２において紙面垂直方向に直線状に並ぶ姿勢でキャリッジ２４に搭載されている。イメージセンサ２０は、光学系３０により入力される主走査線上の光学像を走査しその光学像の濃淡に相関する電気信号を出力する。イメージセンサ２０は、可視光、赤外光、紫外光等、所定の波長領域の光を光電変換して得られる電荷を一定時間蓄積し、光電変換素子ごとの受光量に応じた電気信号をＣＣＤ（Charge Coupled Device）、ＭＯＳトランジスタスイッチ等を用いて出力する。イメージセンサ２０としてはレンズ縮小型を用いてもよいし密着型を用いてもよい。また、カラーフィルタアレイを用いた３又は６ライン構成のカラーイメージセンサを用いてもよい。また、密着型のエリアイメージセンサを用いてもよい。
【００１９】
主走査駆動部１０２はキャリッジ２４に固定された基板に搭載される。主走査駆動部１０２は、イメージセンサ２０を駆動するために必要な駆動パルスをイメージセンサ２０に出力する駆動回路である。主走査駆動部１０２は、例えば同期信号発生器、駆動用タイミングジェネレータ等から構成される。
【００２０】
副走査駆動部２６は、キャリッジ２４に係止されたベルト、このベルトを回転させるモータ及び歯車列、駆動回路等で構成され本体１２に収容されている。副走査駆動部２６が、キャリッジ２４をベルトで牽引することで図２の紙面垂直方向に延びる主走査線がそれに垂直なＢ方向に移動するため２次元画像の走査が可能となる。
【００２１】
信号処理部１００はアナログ信号処理部１０４、Ａ／Ｄ変換器１０６、ディジタル信号処理部１０８等から構成される。信号処理部１００は、イメージセンサ２０の出力信号を処理し光学系３０によってイメージセンサ２０に入力される光学像を表す画像データを出力する。アナログ信号処理部１０４はキャリッジ２４に固定された基板に搭載される。アナログ信号処理部１０４は、イメージセンサ２０から出力されたアナログ表現の電気信号に対して増幅、雑音低減処理等の処理を施して出力する。Ａ／Ｄ変換器１０６はキャリッジ２４に固定された基板に搭載される。Ａ／Ｄ変換器１０６は、アナログ信号処理部１０４から出力されたアナログ表現の電気信号を所定ビット長のディジタル表現の画像信号に量子化して出力する。ディジタル信号処理部１０８は本体１２のハウジング１３に固定された基板に搭載される。ディジタル信号処理部１０８はＡ／Ｄ変換器１０６から出力された画像信号に対しシェーディング補正、ガンマ補正、画素補間等の各種のディジタル信号処理を施して画像データを作成する。尚、ディジタル信号処理部１０８で施す各種の処理は、制御部１１０又はイメージスキャナ１０に接続されるパーソナルコンピュータ等の画像処理装置１５０で実行するコンピュータプログラムによる処理に置き換えてもよい。
【００２２】
制御部１１０はＣＰＵ１３０、ＲＡＭ１３２及びＲＯＭ１３４を備えるマイクロコンピュータで構成され、本体１２のハウジング１３に固定された基板に搭載される。制御部１１０は光源２２の駆動回路、主走査駆動部１０２、副走査駆動部２６、信号処理部１００等にバスで接続されている。この制御部１１０は、画像処理装置１５０の指令に応じてＲＯＭ１３４に記憶されたコンピュータプログラムを実行し、光源２２、主走査駆動部１０２、副走査駆動部２６、信号処理部１００等を制御する。
【００２３】
インタフェース１４０は、ＵＳＢ、ＩＥＥＥ１３９４等の所定の規格に従って構成され、本体１２のハウジング１３に固定された基板に搭載されている。インタフェース１４０は信号処理部１００、制御部１１０等にバス接続されている。インタフェース１４０は信号処理部１００から出力される画像データを画像処理装置１５０に転送する。
【００２４】
図１、図４及び図５は、本体１２に原稿カバー６０を揺動自在に連結するヒンジ５０を示している。以下、ヒンジ５０の構成について詳細に説明する。
ヒンジ５０は、図４に示すように基部５０ａと棒状部材５０ｂとから構成され、原稿カバー６０の基端部の２カ所に設けられる。
【００２５】
基部５０ａは、原稿カバー６０のハウジング６２に形成されているボス６３にねじ込まれるねじ６５で原稿カバー６０のハウジング６２に固定されている。基部５０ａは樹脂材から形成され、図示しない軸穴、弾性部５１及び突部５５を有している。
【００２６】
基部５０ａの軸穴は、図１及び図５で紙面垂直方向に図４で左右方向に延びる中心軸を持つ。この軸穴の中心軸は原稿カバー６０の揺動軸Ａに一致する。
【００２７】
基部５０ａの弾性部５１は、基部５０ａの軸穴より原稿カバー６０の先端側（図４の下部側）に形成されている。弾性部５１は棒状部材５０ｂと力を及ぼし合うことで原稿カバー６０を図１に示す全開姿勢で定位させる。弾性部５１は円弧状に湾曲した片持ち梁状に形成され、原稿カバー６０の長手方向において揺動軸Ａより先端側、原稿カバー６０の厚み方向において揺動軸Ａより表側に位置する。尚、原稿カバー６０の厚み方向において表側もしくは裏側というとき、原稿マット６１が設けられる方（図１において左方、図５において下方）が裏側である。弾性部５１は基端から先端に向かうにしたがって揺動軸Ａに接近する姿勢であって、原稿カバー６０の厚み方向において表側に凸に湾曲した姿勢で設けられている。弾性部５１の先端壁面は円柱側壁状に滑らかに形成されている。弾性部５１の凸壁面５２は先端壁面と曲線的に連なり滑らかに形成されている。弾性部５１は後述するように棒状部材５０ｂから力を受けて揺動軸Ａから離間する方向に弾性変形し、復元力により揺動軸Ａに接近する方向に変形する。弾性部５１の材質及び形状は弾性部５１のばね定数を規定する。
【００２８】
基部５０ａの突部５５は、原稿カバー６０の長手方向において揺動軸Ａより先端側、原稿カバー６０の厚み方向において揺動軸Ａより裏側に位置している。突部５５は後述するように棒状部材５０ｂに当接することで原稿カバー６０の全開角度を規定する。
【００２９】
棒状部材５０ｂは、原稿カバー６０のハウジング６２と基部５０ａに軸支され本体１２に係止されている。棒状部材５０ｂは樹脂材から形成され、軸部５４、頭部５３及び脚部５６を有する。棒状部材５０ｂの頭部５３と脚部５６とは軸部５４からその中心軸に対して垂直な２方向であって互いに１８０°をなす２方向にそれぞれ延伸している。この方向において頭部５３は軸部５４に比べて十分短い。
【００３０】
棒状部材５０ｂの軸部５４は、図４に示すように基部５０ａの軸穴及び原稿カバー６０のハウジング６２に形成された軸受け６４に回動自在に支持されている。軸部５４は頭部５３及び脚部５６と別体の異種材料で形成してもよい。
【００３１】
図１及び図５に示すように棒状部材５０ｂの頭部５３は、原稿カバー６０のハウジング６２内部に収容されている。頭部５３の外壁は円柱側壁状に湾曲し滑らかに形成されている。図５に示すように、頭部５３の先端から揺動軸Ａまでの距離Ｒは、揺動軸Ａから弾性部５１までの最短距離ｒ１より大きく、揺動軸Ａから弾性部５１の基端までの距離ｒ２より小さく、揺動軸Ａから突部５５までの最短距離ｒ３より大きい。Ｒとｒ１との差は弾性部５１が弾性変形するときの最大変位に等しく、弾性部５１の復元力を規定する。原稿カバー６０が図５に示す全閉姿勢から図１に示す全開姿勢まで開くとき、頭部５３は弾性部５１の凸壁面５２に摺接しつつ進行方向前方から弾性部５１を押し出して突部５５に接近し、突部５５に当接する。
【００３２】
棒状部材５０ｂの脚部５６は、本体１２のハウジング１３に形成されたヒンジ穴１８に抜き差し可能に挿入されている。脚部５６の長さは、書籍等の厚みのある被写体が原稿台１４に載置されたときに、原稿台１４から数十ｍｍ離れた位置で原稿台１４に対して平行な姿勢で本体１２に原稿カバー６０を接続するのに十分な長さに設定されている。
【００３３】
以上、ヒンジ５０の構成について説明した。以下、ヒンジ５０の作動について詳細に説明する。
【００３４】
図５は原稿カバー６０が全閉姿勢で原稿台１４を被覆している状態を示している。このとき原稿台１４に被写体が載置されていなければ原稿マット６１は原稿台１４の盤面に当接する。２つの棒状部材５０ｂの脚部５６はそれぞれ本体１２のヒンジ穴１８に挿入されているため、原稿カバー６０が原稿台１４の盤面に平行な方向に移動することはない。脚部５６はヒンジ穴１８に抜き差し自在に挿入されているため、脚部５６をヒンジ穴１８から抜き出すことで原稿カバー６０を原稿台１４の盤面に対して平行な姿勢で上下方向に移動させることができる。したがって、原稿カバー６０の裏面の広い面積を使って書籍等の厚みのある被写体を原稿台１４の盤面に押さえ付けることができる。
【００３５】
全閉姿勢の状態から原稿カバー６０が開くとき、原稿カバー６０のハウジング６２に形成された軸受け５４と基部５０ａの軸穴内壁が棒状部材５０ｂの軸部５４に摺接しつつ支持される。したがって、原稿カバー６０は揺動軸Ａを中心として図５の紙面上で時計まわりに回転する。このとき原稿カバー６０は２本の棒状部材５０ｂと原稿カバー６０を持ち上げる手とによって支えられる。原稿カバー６０に作用する重力による反時計回りのトルクと、原稿カバー６０のハウジング６２に形成された軸受け５４及び基部５０ａと棒状部材ｂの軸部５４との間に働く摩擦力による反時計回りのトルクとの合成トルクを上回る大きさの時計回りのトルクを原稿カバー６０に手で加えると、全閉姿勢から棒状部材５０ｂの頭部５３に基部５０ａの弾性部５１が当接するまで原稿カバー６０を開くことができる。全閉姿勢から棒状部材５０ｂの頭部５３に基部５０ａの弾性部５１が当接するまで、原稿カバー６０が開けば開くほど原稿カバー６０に作用する重力による反時計回りのトルクが小さくなるため原稿カバー６０を開くために必要な手で加える力は小さくなる。
【００３６】
棒状部材５０ｂの頭部５３に基部５０ａの弾性部５１が当接した状態からさらに原稿カバー６０が開くとき、基部５０ａの弾性部５１は棒状部材５０ｂの頭部５３に押されて揺動軸Ａから離間する方向に弾性変形する。したがって、原稿カバー６０を開くためには、弾性部５１の復元力それ自体が頭部５３に及ぼす力による反時計回りのトルクと弾性部５１と頭部５３との間に働く摩擦力による反時計回りのトルクとの合成トルクをさらに加味した時計回りのトルクが必要になる。弾性部５１と頭部５３との接点が頭部５３の先端（揺動軸Ａから最も遠い部分）であるとき弾性部５１の復元力が最大になる。このとき、弾性部５１と頭部５３との間に働く摩擦力が最大になる。
【００３７】
弾性部５１と頭部５３との接点が頭部５３の先端である状態からさらに原稿カバー６０を開くと、弾性部５１はその先端が頭部５３を乗り越えて揺動軸Ａに接近する方向に変位して復元変形する。原稿カバー６０は、図１に示すように頭部５３が基部５０ａの突部５５に当接するまで開く。
【００３８】
図１は原稿カバー６０の全開姿勢を示している。原稿カバー６０が全開姿勢のとき基部５０ａの突部５５と頭部５３とは互いに当接している。したがって、ヒンジ５０を破壊する力が作用しない限り、原稿カバー６０が図１に示す姿勢からさらに時計回りに回転することはない。原稿カバー６０が全開姿勢にあるとき、頭部５３が弾性部５１に当接しているように頭部５３、弾性部５１及び突部５５の形状及び位置関係を設定することが望ましい。こうすることで原稿カバー６０の全開姿勢での安定性が高まるからである。また、原稿カバー６０の長手方向軸が原稿台１４の盤面に対してほぼ垂直になるとき、基部５０ａの突部５５と頭部５３とが互いに当接するように突部５５及び頭部５３の形状及び位置関係を設定することが望ましい。
【００３９】
全開姿勢の状態から原稿カバー６０が閉じるとき、基部５０ａの弾性部５１は棒状部材５０ｂの頭部５３に押されて揺動軸Ａから離間する方向に弾性変形する。したがって、全開姿勢の状態から原稿カバー６０を閉じるとき、少なくとも弾性部５１の復元力それ自体が頭部５３に及ぼす力による時計回りトルクと弾性部５１と頭部５３との間に働く摩擦力による時計回りのトルクとの合成トルクを上回る反時計回りのトルクが必要になる。したがって、ヒンジ５０は原稿カバー６０を全開姿勢で定位させる。
【００４０】
以上、ヒンジ５０の作動について説明した。以下、上記実施例の効果について説明する。
上記実施例によると、弾性部５１を揺動軸Ａから離間させる方向に弾性変形させる構成であるため、棒状部材５０ｂの頭部５３を小さくすることができる。従って、図７に示す従来のヒンジに比べ、ヒンジ５０はその体格を小さくできる。
【００４１】
またヒンジ５０は、基部５０ａ及び棒状部材５０ｂはともに樹脂材でそれぞれ１部品から構成されているため構成が簡素である。したがって、製造が容易であり、信頼性が高い。
【００４２】
またヒンジ５０によると、接触面が滑らかな樹脂材からなる頭部５３及び弾性部５１が摺接しつつ互いに力を及ぼし合うため、原稿カバー６０の開閉作動が滑らかであり、かつ開閉作動時に適度な抵抗感を人に与えることができる。
【００４３】
尚、ヒンジ５０は、フラットベッド型のイメージスキャナ１０に限らず、複写機の原稿カバーと本体を連結する等、他の用途に用いることが可能である。
【００４４】
図６は、本発明の他の実施例を説明するための模式図である。図６（Ａ）は可動部７１が全閉姿勢で本体７８に接続されている状態を示し、図６（Ｂ）は可動部７１が全開姿勢で本体７８に接続されている状態を示している。
【００４５】
弾性部７３は基部７２と一体に形成されていても別体に形成されていてもよい。例えば弾性部７３は基部７２に係止された板ばねであってもよい。弾性部７３は１部品で構成されるものであっても複数部品で構成されるものであってもよい。例えば、弾性部７３は基端が基部７２に係止されたコイルスプリングとコイルスプリングの先端に固定される半球状部材とから構成されるものであってもよい。弾性部７３は片持ち梁状に限らず、その先端（揺動軸７６に最も近い部分）が棒状部材７６の先端部７４によって揺動軸７６に対して垂直方向に往復移動するように弾性変形する形状であればよい。
【００４６】
基部７２は可動部７１と別体に形成されていても一体に形成されていてもよい。棒状部材７６の基端部７７は挿入に限らず本体７８にどのように係止されるものであってもよい。例えば、本体７８にねじで締結されるものであってもよいし、接着されるものであってもよい。
【００４７】
棒状部材７６の先端部７４と弾性部７３との形状及び位置関係は、少なくとも可動部７１が全開姿勢及び全閉姿勢のとき棒状部材７６の先端より弾性部７３の先端が揺動軸７５から近方に位置する関係であればよい。
【図面の簡単な説明】
【図１】本発明の一実施例によるヒンジを示す断面図である。
【図２】本発明の一実施例によるイメージスキャナを示す模式図である。
【図３】本発明の一実施例によるイメージスキャナを示すブロック図である。
【図４】本発明の一実施例によるヒンジを示す一部切り欠き平面図である。
【図５】本発明の一実施例によるヒンジを示す断面図である。
【図６】本発明の他の実施例を示す模式図である。
【図７】従来のヒンジを示す断面図である。
【符号の説明】
１０    イメージスキャナ
１２    本体
１３    ハウジング
１４    原稿台
１８    ヒンジ穴
２０    リニアイメージセンサ
２２    光源
３０    光学系
４０    走査部
５０    ヒンジ
５０ａ  基部
５０ｂ  棒状部材
５１    弾性部
５３    頭部
５４    軸部
５５    突部
５６    脚部
６０    原稿カバー
６２    ハウジング
７１    可動部
７２    基部
７３    弾性部
７４    先端部
７５    揺動軸
７６    棒状部材
７７    基端部
７８    本体
【図１】
0004113344.tif 000002
【図２】
0004113344.tif 000003
【図３】
0004113344.tif 000004
【図４】
0004113344.tif 000005
【図５】
0004113344.tif 000006
【図６】
0004113344.tif 000007
【図７】
0004113344.tif 000008